(57)【要約】【課題】  音声出力装置を左右のどちら側においた場合でも、ケーブル長が足りなくなることがないヘッドホーンを提供する。【解決手段】  耳当て部３Ｒ，３Ｌ中には、それぞれコネクタ５Ｒ，５Ｌが設けられている。これらコネクタ５Ｒ，５Ｌは、それぞれ端子Ｌ、Ｒ、Ｇを有し、端子Ｌは左側音声信号用、端子Ｒは右側音声信号用、端子Ｇはグランド用として用いられている。そして、コネクタ５Ｒ中の端子Ｌとコネクタ５Ｌ中の端子Ｌ、コネクタ５Ｒ中の端子Ｒとコネクタ５Ｌ中の端子Ｒ、コネクタ５Ｒ中の端子Ｇとコネクタ５Ｌ中の端子Ｇとは、それぞれ接続部４中を通る配線で結合されている。よって、音声出力部（プレーヤ）からのケーブルを、コネクタ５Ｒとコネクタ５Ｌのどちらに接続しても、ヘッドホーン１に正常な音声を流すことができる。【選択図】  図１
2006148405.tif 000002
【特許請求の範囲】
【請求項１】
両方の耳に音声を出力するヘッドホーンであって、頭部装着時の左右両側に、ケーブル接続用のコネクタを有し、音声を入力するケーブルをいずれか一方のコネクタに接続可能とされていることを特徴とするヘッドホーン。
【請求項２】
請求項１のヘッドホーンであって、左右のコネクタは少なくともＬ信号端子、Ｒ信号端子、グランド端子の三本の接続端子を持ち、左右のコネクタの前記三本の接続端子は、それぞれＬ信号端子、Ｒ信号端子、グランド端子同士が接続されており、前記Ｌ端子の配線は左側ホーンの信号端子に接続され、前記Ｒ端子の配線は右側ホーンの信号端子に接続され、前記グランド端子の配線は左右両方のホーンのグランド端子に接続されていることを特徴とするヘッドホーン。
【請求項３】
請求項１のヘッドホーンであって、左右のコネクタは少なくともＬ信号端子、Ｒ信号端子、グランド端子の三本の接続端子を持ち、左右のコネクタの前記三本の接続端子のうち、グランド端子は互いに接続されると共に左右両方のホーンのグランド端子に接続されており、左側のコネクタのＬ信号端子は、左側ホーンの信号端子に接続されており、右側のコネクタのＲ信号端子は、右側ホーンの信号端子に接続されており、
左側のコネクタのＬ端子とＲ端子は、どちらかを選択する第１のスイッチを介して左右連絡配線に接続されており、右側のコネクタのＬ端子とＲ端子は、どちらかを選択する第２のスイッチを介して前記左右連絡配線に接続されていることを特徴とするヘッドホーン。
【請求項４】
請求項３に記載のヘッドホーンであって、前記第１のスイッチは、音声を入力するケーブルが左側のコネクタに接続されていないとき左側のコネクタのＬ端子を、接続されているとき左側のコネクタのＲ端子を選択してそれらに接続され、前記第２のスイッチは、前記音声を入力するケーブルが右側のコネクタに接続されていないとき右側のコネクタのＲ端子を、接続されているとき右側のコネクタのＬ端子をそれぞれ選択してそれらに接続されるものであることを特徴とするヘッドホーン。
【請求項５】
請求項３に記載のヘヅドホーンであって、前記第1のスイッチは、音声を入力するケーブルとは別の部材が左側のコネクタもしくはその近傍に取り付けられているとき左側のコネクタのＬ端子を、取り付けられていないとき左側のコネクタのＲ端子を選択してそれらに接続され、前記第２のスイッチは、前記音声を入力するケーブルとは別の部材が右側のコネクタもしくはその近傍に取り付けられているとき右側のコネクタのＲ端子を、取り付けられていないとき右側のコネクタのＬ端子を選択してそれらに接続されるものであることを特徴とするヘッドホーン。
【請求項６】
請求項３に記載のヘッドホーンであって、前記第１のスイッチは、音声を入力するケーブルが左側のコネクタに接続されているとき左側のコネクタのＲ端子を、前記音声を入力するケーブルとは別の部材が左側のコネクタもしくはその近傍に取り付けられているとき左側のコネクタのＬ端子を、それぞれ選択してそれらに接続され、前記第２のスイッチは、前記音声を入力するケーブルが右側のコネクタに接続されているとき右側のコネクタのＬ端子を、前記音声を入力するケーブルとは別の部材が右側のコネクタもしくはその近傍に取り付けられているとき右側のコネクタのＲ端子を、それぞれ選択してそれらに接続されるものであることを特徴とするヘッドホーン。
【請求項７】
両方の耳に音声を出力するヘッドホーンであって、頭部への装着を左右入れ替えても使用可能なものにおいて、ヘッドホーンに接続されたＬ信号端子とＲ信号端子を、それぞれ左ホーンの信号端子と右ホーンの信号端子に接続するのか、あるいはそれぞれ右ホーンの信号端子と左ホーンの信号端子に接続するのかを切り替える回路を有することを特徴とするヘッドホーン。
【請求項８】
頭部に装着され、使用者の目に映像を表示する映像表示装置であって、請求項１から請求項６のいずれか１項に記載のヘッドホーンを有し、映像信号が、音声を入力するケーブルを接続するコネクタと同じコネクタを使用して、前記ヘッドホーンに入力されていることを特徴とする映像表示装置。
【請求項９】
頭部に装着され、使用者の目に映像を表示する映像表示装置であって、請求項７に記載のヘッドホーンを有し、映像信号が、音声を入力するケーブルを接続するコネクタと同じコネクタを使用して、前記ヘッドホーンに入力されていて、左右反転して使用可能であることを特徴とする映像表示装置。
【請求項１０】
使用者の目に映像を表示する映像表示装置であって、請求項１から請求項６のうちいずれか１項に記載のヘッドホーンの左右に、映像表示装置本体が着脱可能とされ、音声を入力する第１のケーブルが、前記映像表示装置本体側に接続されており、前記ヘッドホーンと前記映像表示装置本体とは音声信号を伝えるコネクタで接続されており、前記映像表示装置本体が、請求項１から請求項６のうちいずれか１項に記載のヘッドホーンにおける、音声を入力するケーブルの機能を有していることを特徴とする映像表示装置。
【発明の詳細な説明】
【技術分野】
【０００１】
本発明はヘッドホーン、及びヘッドホーンを有する映像表示装置に関するものである。
【背景技術】
【０００２】
ヘッドホーンは一人で迫力のある音声を聞くことのできる装置として広く使われている。音声出力装置（プレーヤ）からヘッドホーンへの配線は、ヘッドホーンの片側、又は両側に接続されている。
【０００３】
【特許文献１】特開平８−３０５２９８号公報
【特許文献２】特開２００４−２０７８４７号公報
【発明の開示】
【発明が解決しようとする課題】
【０００４】
しかしながら、従来のヘッドホーンにおいては、例えば左側に音声入力用のケーブルが接続されているヘッドホーンの場合、ヘッドホーンに接続された音声出力装置を右側に持ってくるとケーブル長が不足する場合がある。
【０００５】
本発明はこのような事情に鑑みてなされたもので、音声出力装置を左右のどちら側においた場合でも、ケーブル長が足りなくなることがないヘッドホーン、及びこのようなヘッドホーンを使用した映像表示装置を提供することを課題とする。
【課題を解決するための手段】
【０００６】
前記課題を達成するための第１の手段は、両方の耳に音声を出力するヘッドホーンであって、頭部装着時の左右両側に、ケーブル接続用のコネクタを有し、音声を入力するケーブルをいずれか一方のコネクタに接続可能とされていることを特徴とするヘッドホーン（請求項１）である。
【０００７】
本手段においては、音声出力装置が左側にあるときには、それから伸びる音声を入力するケーブルを左側のコネクタに接続し、音声出力装置が右側にあるときには、それから伸びる音声を入力するケーブルを右側のコネクタに接続することができるので、左右どちらの側で音声出力装置を使用する場合でも、音声出力装置からのケーブル長が足りなくなることが防止できる。
【０００８】
前記課題を解決するための第２の手段は、前記第１の手段であって、左右のコネクタが少なくともＬ信号端子、Ｒ信号端子、グランド端子の三本の接続端子を持ち、左右のコネクタの前記三本の接続端子は、それぞれＬ信号端子、Ｒ信号端子、グランド端子同士が接続されており、前記Ｌ端子の配線は左側ホーンの信号端子に接続され、前記Ｒ端子の配線は右側ホーンの信号端子に接続され、前記グランド端子の配線は左右両方のホーンのグランド端子に接続されていることを特徴とするもの（請求項２）である。
【０００９】
前記課題を解決するための第３の手段は、前記第１の手段であって、左右のコネクタが少なくともＬ信号端子、Ｒ信号端子、グランド端子の三本の接続端子を持ち、左右のコネクタの前記三本の接続端子のうち、グランド端子は互いに接続されると共に左右両方のホーンのグランド端子に接続されており、左側のコネクタのＬ信号端子は、左側ホーンの信号端子に接続されており、右側のコネクタのＲ信号端子は、右側ホーンの信号端子に接続されており、左側のコネクタのＬ端子とＲ端子は、どちらかを選択する第１のスイッチを介して左右連絡配線に接続されており、右側のコネクタのＬ端子とＲ端子は、どちらかを選択する第２のスイッチを介して前記左右連絡配線に接続されていることを特徴とするもの（請求項３）である。
【００１０】
前記課題を解決するための第４の手段は、前記第３の手段であって、前記第１のスイッチは、音声を入力するケーブルが左側のコネクタに接続されていないとき左側のコネクタのＬ端子を、接続されているとき左側のコネクタのＲ端子を選択してそれらに接続され、前記第２のスイッチは、前記音声を入力するケーブルが右側のコネクタに接続されていないとき右側のコネクタのＲ端子を、接続されているとき右側のコネクタのＬ端子をそれぞれ選択してそれらに接続されるものであることを特徴とするもの（請求項４）である。
【００１１】
前記課題を解決するための第５の手段は、前記第３の手段であって、前記第1のスイッチは、音声を入力するケーブルとは別の部材が左側のコネクタもしくはその近傍に取り付けられているとき左側のコネクタのＬ端子を、取り付けられていないとき左側のコネクタのＲ端子を選択してそれらに接続され、前記第２のスイッチは、前記音声を入力するケーブルとは別の部材が右側のコネクタもしくはその近傍に取り付けられているとき右側のコネクタのＲ端子を、取り付けられていないとき右側のコネクタのＬ端子を選択してそれらに接続されるものであることを特徴とするもの（請求項５）である。
【００１２】
前記課題を解決するための第６の手段は、前記第３の手段であって、前記第１のスイッチは、音声を入力するケーブルが左側のコネクタに接続されているとき左側のコネクタのＲ端子を、前記音声を入力するケーブルとは別の部材が左側のコネクタもしくはその近傍に取り付けられているとき左側のコネクタのＬ端子を、それぞれ選択してそれらに接続され、前記第２のスイッチは、前記音声を入力するケーブルが右側のコネクタに接続されているとき右側のコネクタのＬ端子を、前記音声を入力するケーブルとは別の部材が右側のコネクタもしくはその近傍に取り付けられているとき右側のコネクタのＲ端子を、それぞれ選択してそれらに接続されるものであることを特徴とするもの（請求項６）である。
【００１３】
前記課題を解決するための第７の手段は、両方の耳に音声を出力するヘッドホーンであって、頭部への装着を左右入れ替えても使用可能なものにおいて、ヘッドホーンに接続されたＬ信号端子とＲ信号端子を、それぞれ左ホーンの信号端子と右ホーンの信号端子に接続するのか、あるいはそれぞれ右ホーンの信号端子と左ホーンの信号端子に接続するのかを切り替える回路を有することを特徴とするヘッドホーン（請求項７）である。
【００１４】
前記課題を解決するための第８の手段は、頭部に装着され、使用者の目に映像を表示する映像表示装置であって、前記第１の手段から第６の手段のいずれかであるヘッドホーンを有し、映像信号が、音声を入力するケーブルを接続するコネクタと同じコネクタを使用して、前記ヘッドホーンに入力されていることを特徴とする映像表示装置（請求項８）である。
【００１５】
前記課題を解決するための第９の手段は、頭部に装着され、使用者の目に映像を表示する映像表示装置であって、前記第７の手段であるヘッドホーンを有し、映像信号が、音声を入力するケーブルを接続するコネクタと同じコネクタを使用して、前記ヘッドホーンに入力されていて、左右反転して使用可能であることを特徴とする映像表示装置（請求項９）である。
【００１６】
これら第８の手段及び第９の手段においては、映像信号が、音声を入力するケーブルを接続するコネクタと同じコネクタを使用して、前記ヘッドホーンに入力されるので、ケーブルが１本で済み、ケーブルの取扱に対する煩わしさが無くなる。
【００１７】
前記課題を解決するための第１０の手段は、使用者の目に映像を表示する映像表示装置であって、前記第１の手段から第６の手段のうちいずれかのヘッドホーンの左右に、映像表示装置本体が着脱可能とされ、音声を入力する第１のケーブルが、前記映像表示装置本体側に接続されており、前記ヘッドホーンと前記映像表示装置本体とは音声信号を伝えるコネクタで接続されており、前記映像表示装置本体が、前記第１の手段から第６の手段のうちいずれかのヘッドホーンにおける、音声を入力するケーブルの機能を有していることを特徴とする映像表示装置（請求項１０）である。
【００１８】
映像表示装置本体が、ヘッドホーンの左右両側に切り替えて取り付け可能となっているものにおいては、映像表示装置の制御部からのケーブルが映像表示装置本体に接続される場合が多い。その場合、本手段のようにしておくことにより、映像表示装置本体をヘッドホーンの左右どちらにつけた場合でも、ヘッドホーンの左右のホーンへの音声を切り替えて出力することができる。
【発明の効果】
【００１９】
本発明によれば、音声出力装置を左右のどちら側においた場合でも、ケーブル長が足りなくなることがないヘッドホーン、及びこのようなヘッドホーンを使用した映像表示装置を提供することができる。
【発明を実施するための最良の形態】
【００２０】
以下、本発明の実施の形態の例を、図を用いて説明する。図１は、本発明の実施の形態の第１の例であるヘッドホーンの概要を示すブロック図である。ヘッドホーン１は、右側（Ｒ）用と左側（Ｌ）方のホーン（スピーカ）２Ｒ、２Ｌを有しており、それぞれのホーン２Ｒ、２Ｌは、耳当て部３Ｒ、３Ｌに保持されている。
【００２１】
耳当て部３Ｒと３Ｌは、接続部４により接続されている。接続部４は弾性を有し、これを頭部の後側に回して、頭部を挟み込み、耳当て部３Ｒ，３Ｌを両耳に当てることによって頭部に装着する。
【００２２】
耳当て部３Ｒ，３Ｌ中には、それぞれコネクタ５Ｒ，５Ｌが設けられている。これらコネクタ５Ｒ，５Ｌは、それぞれ端子Ｌ、Ｒ、Ｇを有し、端子Ｌは左側音声信号用、端子Ｒは右側音声信号用、端子Ｇはグランド用として用いられている。そして、コネクタ５Ｒ中の端子Ｌとコネクタ５Ｌ中の端子Ｌ、コネクタ５Ｒ中の端子Ｒとコネクタ５Ｌ中の端子Ｒ、コネクタ５Ｒ中の端子Ｇとコネクタ５Ｌ中の端子Ｇとは、それぞれ接続部４中を通る配線で結合されている。
【００２３】
そして、耳当て部３Ｒ中においては、Ｒ端子とＧ端子からの配線がホーン２Ｒに接続され、右側音声を伝えるようにされ、耳当て部３Ｌ中においては、Ｌ端子とＧ端子からの配線がホーン２Ｌに接続され、左側音声を伝えるようにされている。よって、音声出力部（プレーヤ）からのケーブルを、コネクタ５Ｒとコネクタ５Ｌのどちらに接続しても、ヘッドホーン１に正常な音声を流すことができる。
【００２４】
図２は、本発明の実施の形態の第２の例であるヘッドホーンの概要を示すブロック図である。なお、以下の図面においては、前述の図面に示された構成要素と同じ構成要素には、同じ符号を付してその説明を省略することがある。
【００２５】
この実施の形態においては、耳当て部３Ｒの中にスイッチ６Ｒが、耳当て部３Ｌの中にスイッチ６Ｌが設けられており、左右のＧ端子同士と、これらスイッチ６Ｒ，６Ｌのｃ接点同士が、それぞれ接続部４中を通る配線で結合されている。
【００２６】
スイッチ６Ｒのａ接点はコネクタ５ＲのＬ端子に接続され、ｂ接点はコネクタ５ＲのＲ端子に接続されている。又、スイッチ６Ｌのａ接点はコネクタ５ＬのＲ端子に接続され、ｂ接点はコネクタ５ＬのＬ端子に接続されている。なお、以下の図においてはｂ接点を黒丸で表す。
【００２７】
そして、これらスイッチ６Ｒ、６Ｌは、音声発生装置からのケーブルが接続されていない状態では、ｃ接点とｂ接点が接続され、音声発生装置からのケーブルが接続されるとｃ接点とａ接点が接続されるようになっている。ホーン２Ｒには耳当て部３ＲのＲ端子とＧ端子からの配線が、ホーン２Ｌには、耳当て部３ＬのＬ端子とＧ端子からの信号が接続されている。
【００２８】
もし、コネクタ５Ｒに音声発生装置からのケーブルが接続されると、スイッチ６Ｒのｃ接点がａ接点と接続されることにより、Ｌ端子に入った信号は、スイッチ６Ｒとスイッチ６Ｌのｃ接点を接続する配線を通して、スイッチ６Ｌのｃ接点に入り、スイッチ６Ｌのｂ接点を通して、ホーン２Ｌに接続される。よって、ホーン２Ｒからは右側音声信号が、ホーン２Ｌからは左側音声信号が出力される。
【００２９】
もし、コネクタ５Ｌに音声発生装置からのケーブルが接続されると、スイッチ６Ｌのｃ接点がａ接点と接続されることにより、Ｒ端子に入った信号は、スイッチ６Ｒとスイッチ６Ｌのｃ接点を接続する配線を通して、スイッチ６Ｒのｃ接点に入り、スイッチ６Ｒのｂ接点を通して、ホーン２Ｒに接続される。よって、ホーン２Ｒからは右側音声信号が、ホーン２Ｌからは左側音声信号が出力される。
【００３０】
また、コネクタを保護するキャップ等を用意し、スイッチ６Ｒ、６Ｌは、キャップが取り付けられている状態ではｃ接点とｂ接点が接続され、キャップが取り外されるとｃ接点とａ接点とが接続されるようにしても、同様の効果が得られる。
【００３１】
図３は、本発明の実施の形態の第３の例であるヘッドホーンの概要を示すブロック図である。
【００３２】
この実施の形態においては、耳当て部３Ｒの中にスイッチ７Ｒが、耳当て部３Ｌの中にスイッチ７Ｌが設けられており、左右のＧ端子同士と、これらスイッチ７Ｒ，７Ｌのｃ接点同士が、それぞれ接続部４中を通る配線で結合されている。ホーン２Ｒには耳当て部３ＲのＲ端子とＧ端子からの配線が、ホーン２Ｌには、耳当て部３ＬのＬ端子とＧ端子からの信号が接続されている。
【００３３】
そして、スイッチ７Ｒにおいては第１接点にコネクタ５ＲのＬ端子が、第２接点にコネクタ５ＲのＲ端子が接続され、スイッチ７Ｌにおいては第１接点にコネクタ５ＬのＲ端子が、第２接点にコネクタ５ＬのＬ端子が接続されている。ホーン２Ｒには耳当て部３ＲのＲ端子とＧ端子からの配線が、ホーン２Ｌには、耳当て部３ＬのＬ端子とＧ端子からの信号が接続されている。
【００３４】
ヘッドホーン１にコネクタ８とキャップ９が接続されていない状態（ａ）においては、スイッチ７Ｒ、スイッチ７Ｌにおいて、ｃ接点は、第１接点、第２接点のいずれにも接続されておらず、中立の状態になっている。そして、耳当て部３Ｒと耳当て部３Ｌの端子部に、コネクタ８が接続されるとｃ接点は第１接点に接続され、キャップ９が接続されるとｃ接点は第２接点に接続されるようになっている。ホーン２Ｒには耳当て部３ＲのＲ端子とＧ端子からの配線が、ホーン２Ｌには、耳当て部３ＬのＬ端子とＧ端子からの信号が接続されている。コネクタ８には、音声発生装置からのケーブルが接続されている。
【００３５】
図３（ｂ）は、耳当て部３Ｒの端子部にキャップ９が、耳当て部３Ｌの端子部にコネクタ８が接続された場合の接点の様子を示す。スイッチ７Ｒ、スイッチ７Ｌの接点の状態が図のようになるので、耳当て部３ＬのＲ端子から入った信号は、スイッチ７Ｌの第１接点、スイッチ７Ｌのｃ接点を通してスイッチ７Ｒのｃ接点に至り、スイッチ７Ｒの第２接点を通してホーン２Ｒに接続される。よって、ホーン２Ｒからは右側音声信号が、ホーン２Ｌからは左側音声信号が出力される。
【００３６】
図３（ｃ）は、耳当て部３Ｒの端子部にコネクタ８が、耳当て部３Ｌの端子部にキャップ９が接続された場合の接点の様子を示す。スイッチ７Ｒ、スイッチ７Ｌの接点の状態が図のようになるので、耳当て部３ＲのＬ端子から入った信号は、スイッチ７Ｒの第１接点、スイッチ７Ｒのｃ接点を通してスイッチ７Ｌのｃ接点に至り、スイッチ７Ｌの第２接点を通してホーン２Ｌに接続される。よって、ホーン２Ｒからは右側音声信号が、ホーン２Ｌからは左側音声信号が出力される。
【００３７】
以下、本発明の実施の形態の映像表示装置であるヘッドマウントディスプレイについて説明する。近年、液晶パネル（ＬＣＤ）等の表示デバイス上に表示された映像を、接眼レンズやハーフミラー等を有する光学系を介して拡大した虚像として観察する眼鏡タイプ等、人体に装着して使用される映像表示装置が種々提案され、ウエアラブルディスプレイと呼ばれている。そのうち、頭部に装着して使用されるものは、特にヘッドマウントディスプレイと呼ばれている。
【００３８】
ヘッドマウントディスプレイは、多くの場合、頭に巻いた形で頭部に装着する構成とされ、両眼に対応する位置に映像表示系を形成した両眼タイプと左右眼の一方の眼に対応する位置に映像表示系を形成した片眼タイプとがある。このうち、両眼タイプのものは、主として映像を楽しむための目的に使用される。片眼タイプのものは、例えばウエアラブルパソコン等の表示装置等や、作業者に指示を表示する表示装置としての使用方法が期待されている。その例として、特開平８−３０５２９８号公報（特許文献１）、特開２００４−２０７８４７号公報（特許文献２）に記載されるような方式のものが公知となっている。
【００３９】
本発明の実施の形態の１例であるヘッドマウントディプレイの概要の外観図を図４に示す。図４において、ヘッドマウントディスプレイ２１は、頭部の後部に装着されて、頭部を挟み込むような弾性を有する装着部２４と、装着部２４に出し入れが可能なように嵌め込まれた支持部２３と、支持部２３の先端部に取り付けられ、画像の表示を行う表示部２２と、装着部２４に取り付けられた左右の保持部２５（耳当て部とヘッドホーンを兼ねる）を主要部として構成されている。図においては、表示部２２は、支持部２３の引き出し長さを調節することにより、左眼前方に位置するように調整されており、左眼用として使用される。
【００４０】
このヘッドマウントディスプレイ２１の形状は、図における上下方向の中心線Ａに対して上下対称となっている。よって、ヘッドマウントディスプレイ２１を、図の矢印のように左右を反転させて、１８０°回転させれば、支持部２３と表示部２２は図に２点鎖線で示すように顔面の右側に移動し、そのままの状態で表示部２２は右眼前方に位置するようになり、右眼用として使用できるようになる。
【００４１】
このようなヘッドマウントディスプレイ２１においては、左眼用として使用する場合と右眼用として使用する場合とで、同一のホーンから出力すべき音声が左用から右用、右用から左用に逆転する。よって、左眼用として使用する場合と右眼用として使用する場合とで、音声出力の切換が必要である。
【００４２】
図５は、このような音声出力の左右を切り替えることができるヘッドホーンの構成を示す図である。この例においては、プレーヤからの出力は、耳当て部３Ｌ側に入力される。耳当て部３Ｌ中には、スイッチ１０が設けられており、スイッチ１０が押し込まれていないとき、図５（ｂ）に示すように、スイッチ１０の接点はｂ接点（黒丸）側に接続されている。よって、Ｌ端子から入力された音声信号は、Ｌ側のＬ出力に接続され、ホーン２Ｌに入力される。そして、Ｒ端子から入力された音声信号は、Ｒ側のＲ出力に接続され、ホーン２Ｒに入力される。
【００４３】
スイッチ１０を押し込むと、スイッチ１０の接点はａ接点（白丸）側に接続される。よって、Ｌ端子から入力された音声信号は、Ｒ側のＲ出力に接続され、ホーン２Ｒに入力される。そして、Ｒ端子から入力された音声信号は、Ｌ側のＬ出力に接続され、ホーン２Ｌに入力される。このようにして、音声信号を出力するホーンの左右を逆転することができる。
【００４４】
又、ヘッドマウントディスプレイにおいて、図１〜図３に示したように、プレーヤからの信号を、左右どちらの耳当て部のコネクタに接続してもよいようにし、このコネクタに表示部２２に表示すべき信号を同時に入力し、これらの左右のコネクタから表示部２２に配線を行って信号を導くようにしてもよい。このようにすると、プレーヤからのコネクタを左右どちらのコネクタに接続しても、音声信号と映像信号を１本の共通ケーブルでヘッドマウントディスプレイに接続することができ、配線の煩わしさが無くなる。
【００４５】
ヘッドマウントディスプレイの中には、ヘッドホーンに表示装置を着脱自在に取り付け、その取り付け位置の左右を変えることにより、左眼用と右眼用とに切り替えて使用するものがある。図６は、このような、本発明の実施の形態の１例であるヘッドマウントディスプレイの概要を示す図である。
【００４６】
この例においては、左右の保持部２５は弾性を有する接続部２６により接続されてヘッドホーン部を構成するようになっており、この接続部２６に装着部２４を取付部２７を介して取り付けることにより、表示部２２、支持部２３、装着部２４からなる表示装置を、左右を入れ替えてヘッドホーン部に着脱可能にしている。
【００４７】
この例においては、プレーヤからのケーブル２８は、装着部２４に接続され、このケーブル中には画像信号用配線の他に音声信号用配線が含まれている。そして、このうち音声信号用の配線は、ケーブル２９とコネクタ３０を介して保持部２５に設けられたコネクタに接続される。図においては左側しか図示していないが、右側の保持部２５にもコネクタが設けられ、表示装置を右側に取り付けて使用する場合には、右側の保持部２５に設けられたコネクタにコネクタ３０を接続する。
【００４８】
左右の保持部２５に設けられたコネクタ間の配線は、例えば図１、図２、図３に示すようになっている。これにより、表示装置が左右のどちら側に取り付けられても、左右のヘッドホーンに正しい音声を伝えることができる。もちろん、ケーブル２９とコネクタ３０を使用せずに、取り付け部２７にコネクタ３０と同様の接点を設けても、同じ効果を期待できる。
【図面の簡単な説明】
【００４９】
【図１】本発明の実施の形態の第１の例であるヘッドホーンの概要を示すブロック図である。
【図２】本発明の実施の形態の第２の例であるヘッドホーンの概要を示すブロック図である。
【図３】本発明の実施の形態の第３の例であるヘッドホーンの概要を示すブロック図である。
【図４】本発明の実施の形態の１例であるヘッドマウントディプレイの概要の外観図である。
【図５】音声出力の左右を切り替えることができるヘッドホーンの構成を示す図である。
【図６】本発明の実施の形態の１例であるヘッドマウントディスプレイの概要を示す図である。
【符号の説明】
【００５０】
１…ヘッドホーン、２Ｌ…ホーン、２Ｒ…ホーン、３Ｌ…耳当て部、３Ｒ…耳当て部、４…接続部、５Ｌ…コネクタ、５Ｒ…コネクタ、６Ｌ…スイッチ、６Ｒ…スイッチ、７Ｌ…スイッチ、７Ｒ…スイッチ、８…コネクタ、９…キャップ、２１…ヘッドマウントディスプレイ、２２…表示部、２３…支持部、２４…装着部、２５…保持部、２６…接続部、２７…取付部、２８…ケーブル、２９…ケーブル、３０…コネクタ
【図１】
2006148405.tif 000003
【図２】
2006148405.tif 000004
【図３】
2006148405.tif 000005
【図４】
2006148405.tif 000006
【図５】
2006148405.tif 000007
【図６】
2006148405.tif 000008